(57)【要約】【課題】良好な視認性を長期に渡って維持できる耐久性を有し、且つ使い勝手が良いリンクチェイン素子及びリンクチェインを提供することにある。【解決手段】中央に連結孔を形成すべく環状に構成された素子本体と、視認性向上手段を設けるべく前記連結孔の両側に他のリンチェイン素子を挿通可能な空間を有して中央に形成された表示部とを備え、且つ該表示部と前記素子本体とは鋳造により一体成型されてなる。【選択図】図１
0003143098.tif 000002
【実用新案登録請求の範囲】
【請求項１】
中央に連結孔を形成すべく環状に構成された素子本体と、視認性向上手段を設けるべく前記連結孔の両側に他のリンチェイン素子を挿通可能な空間を有して中央に形成された表示部とを備え、且つ該表示部と前記素子本体とは鋳造により一体成型されてなることを特徴とするリンクチェイン素子。 
【請求項２】
前記表示部の肉厚が素子本体の肉厚よりも小なる寸法に形成されてなる請求項1記載のリンクチェイン素子。
【請求項３】
前記表示部に視認性向上手段を設けるべく凹状部が形成されてなる請求項１又は２記載のリンクチェイン素子。
【請求項４】
請求項１乃至３の何れかに記載のリンクチェイン素子が組み込まれてなることを特徴とするリンクチェイン。
【請求項５】
請求項１乃至３の何れかに記載のリンクチェイン素子であって、チェインを内部に収納可能な柵柱の前記チェインに組み込まれてなることを特徴とするリンクチェイン。
【請求項６】
前記リンクチェイン素子に連結される他のリンクチェイン素子が、両端に円弧状端部が形成される平面略小判形状に構成されると共に、該他のリンクチェイン素子の円弧状端部の何れか一方に継目が形成されるべく構成されてなる請求項４又は５に記載のリンクチェイン。
【考案の詳細な説明】
【技術分野】
【０００１】
本考案は、良好な視認性を備えたリンクチェイン素子と、これを組み込んで例えば車や人等の所定地域内への進入を規制、阻止するために使用されるリンクチェインに関し、特にチェーンを内部に収納する柵柱に好適なリンクチェイン素子及びリンクチェインに関する。
【背景技術】
【０００２】
従来、車や人等の所定地域内への進入を規制、阻止する手段としては、例えば柵チェインと称されるものが存在する。これは、図１０に示すように地表に立設される複数本の柵柱２０間にリンクチェイン２１を掛け渡して使用するものであり、車等の進入規制を解除する場合には、柵柱２０の上部側面に開設した通孔２２からリンクチェイン２１を内部に収納すると共に、柵柱２０を地表内に収容する。かかる柵チェインは比較的安価で導入し易いために、広く使用されるに至っている（特許文献１）。
【０００３】
また、夜間等におけるリンクチェインの視認性を向上させるために考案されたものとしては、例えば図１１に示すようなものがある。即ち、光反射部材や発光部材３０を取り付けた別体の表示器３１を所望のリンクチェイン素子３２に外嵌着できるように構成したものである（特許文献２）。
【０００４】
【特許文献１】実公平４−４４６５３号公報  図３
【特許文献２】実開平６−５３６２１号公報  図１
【考案の開示】
【考案が解決しようとする課題】
【０００５】
しかしながら、上記後者のリンクチェインはリンクチェイン素子３２に別体の表示器３１を外嵌着したものであるために、これを例えば特許文献１に係る柵柱２０に適用して使用した場合、柵注２０の通孔２２の大きさによっては表示器３１が障害となり、リンクチェインを柵注２０の内部に収納できないという問題点があった。
【０００６】
また、たとえ通孔２２からリンクチェインを内部に収納できたとしても、通孔２２からリンクチェインを出し入れする際には、各リンクチェイン素子が折り重なるような状態にあるために、その表示器３１がリンクチェイン素子３２や通孔２２の周壁と接触して衝撃を受け易く、その結果表示器３１が損傷を受けたり、リンクチェイン素子３２から不用意に離脱するという不都合があった。特に、現場でのリンクチェインの出し入れ作業は雑に行われる場合が多いため、かかる不都合の解消が望まれていたのである。
【０００７】
さらに、リンクチェインを構成するリンクチェイン素子３２の形状や大きさには種々のものがあるために、上記従来の如き別体の表示器３１にあっては、大きさ等の異なる数種類のものを用意して対処せねばならず、融通性に欠けるという欠点も有していた。
【０００８】
それ故に、本考案は上記従来の問題点を解決すべくなされたものであり、良好な視認性を長期に渡って維持できる耐久性を有し、且つ使い勝手が良いリンクチェイン素子及びリンクチェインを提供することを課題としている。
【課題を解決するための手段】
【０００９】
請求項１に記載した考案は、中央に連結孔を形成すべく環状に構成された素子本体と、視認性向上手段を設けるべく前記連結孔の両側に他のリンチェイン素子を挿通可能な空間を有して中央に形成された表示部とを備え、且つ該表示部と前記素子本体とは鋳造により一体成型されてなることを特徴とする。 
【００１０】
請求項１記載のリンクチェイン素子は、連結孔の両端に他のリンクチェイン素子を挿通して連結され、リンクチェインの一部に組み込まれる。そして、かかるリンクチェインは例えば柵注間に掛け渡して使用される。
【００１１】
請求項２記載のリンクチェイン素子は、請求項１記載のリンクチェイン素子において、表示部の肉厚が素子本体の肉厚よりも小なる寸法に形成されてなることを特徴とする。
【００１２】
請求項２記載のリンクチェイン素子は、たとえ異物等がリンクチェイン素子に接触したとしても、異物等は素子本体に接触し易くなり、よって表示部との接触を回避することができる。
【００１３】
請求項３記載のリンクチェイン素子は、請求項１又は２記載のリンクチェイン素子において、表示部に視認性向上手段を設けるべく凹状部が形成されてなることを特徴とする。
【００１４】
請求項３記載のリンクチェイン素子は、表示部の凹状部に視認性向上手段を設けて、その連結孔の両端に他のリンクチェイン素子を挿通して連結され、リンクチェインの一部に組み込まれる。そして、かかるリンクチェインは例えば柵注間に掛け渡して使用される。
【００１５】
請求項４記載のリンクチェインは、請求項１乃至３の何れかに記載のリンクチェイン素子が組み込まれなることを特徴とする
【００１６】
請求項４記載のリンクチェインは、例えば柵柱間に掛け渡して使用されるが、かかるリンクチェインの存在は視認性向上手段を有するリンクチェイン素子により認識することができる。
【００１７】
請求項５記載のリンクチェインは、請求項１乃至３の何れかに記載のリンクチェイン素子であって、チェインを内部に収納可能な柵柱の前記チェインに組み込まれてなることを特徴とするリンクチェイン。
【００１８】
請求項５記載のリンクチェインは、例えばチェインを内部に収納可能な柵柱間に掛け渡して使用されるものであるが、収納するチェインの出し入れの際に、表示部がチェイン同士の接触等により破損することを効果的に防止することができる。
【００１９】
請求項６に記載のリンクチェインは、請求項４記載のリンクチェインにおいて、リンクチェイン素子に連結される他のリンクチェイン素子が、両端に円弧状端部が形成される平面略小判形状に構成されると共に、該他のリンクチェイン素子の円弧状端部の何れか一方に継目が形成されるべく構成されてなることを特徴とする。
【００２０】
請求項６記載のリンクチェインは、他のリンクチェイン素子の継目は円弧状端部に形成されているので、これに連結されるリンクチェイン素子により継目は隠蔽されることになる。
【考案の効果】
【００２１】
請求項１に記載のリンクチェイン素子は、中央に連結孔を形成すべく環状に構成された素子本体と、視認性向上手段を設けるべく前記連結孔の両側に他のリンチェイン素子を挿通可能な空間を有して中央に形成された表示部とを備え、且つ該表示部と前記素子本体とは鋳造により一体成型されてなるために、リンクチェイン素子それ自体が相当の強度を有しており、たとえ外力等の衝撃が表示部に作用したとしても、該表示部が素子本体から離脱するようなことはない。即ち、本考案に係るリンクチェイン素子は、別体の表示器をリンクチェイン素子に取り付ける従来のものに比して、格段優れた強度及び耐久性を有するという効果がある。
【００２２】
また、かかるリンクチェイン素子は他のリンクチェイン素子と同様の外観寸法に形成することができるために、従来のものとは異なり、リンクチェイン素子が柵柱の通孔に収納できないという事態を適切に回避することが可能となり、よって種々の柵柱に対して幅広く適用できる融通性を備えるという特有の効果がある。
【００２３】
請求項２記載のリンクチェイン素子は、表示部の肉厚が素子本体の肉厚よりも小なる寸法に形成されてなるために、たとえ異物等がリンクチェイン素子に接触したとしても、異物等は素子本体に接触し易くなって表示部との接触を回避することができる。その結果、該表示部に設けた視認性向上手段が離脱するようなことがなくなり、長期に渡って良好な視認性を確保できるという効果が得られた。
【００２４】
請求項３に記載のリンクチェイン素子は、表示部に視認性向上手段を設けるべく凹状部が形成されてなるために、視認性向上手段を所定の位置に確実且つ正確に設けることができるという効果を奏する。
【００２５】
また、凹状部の存在により視認性向上手段に外部から異物等が接触するという事態を回避し得るので、視認性向上手段による良好な視認性を長期に渡って良好な視認性を維持できるという効果もある。
【００２６】
請求項４に記載のリンクチェインは、請求項１乃至３の何れかに記載のリンクチェイン素子が組み込まれなるために、優れた強度及び耐久性を有すると共に、種々の柵柱に対して幅広く適用できる融通性を備えるばかりではなく、長期に渡って良好な視認性を維持することができるという効果を奏する。
【００２７】
請求項５記載のリンクチェインは、請求項１乃至３の何れかに記載のリンクチェイン素子であって、チェインを内部に収納可能な柵柱の前記チェインに組み込まれているので、前記柵柱に収納するチェインの出し入れの際に、表示部がチェイン同士の接触等により破損することを効果的に防止することができる。
【００２８】
請求項６に記載のリンクチェインは、リンクチェイン素子に連結される他のリンクチェイン素子が、両端に円弧状端部が形成される平面略小判形状に構成されると共に、該他のリンクチェイン素子の円弧状端部の何れか一方に継目が形成されるべく構成されてなるために、かかる他のリンクチェイン素子に連結されるリンクチェイン素子によりその継目は隠蔽されて外部から見えにくく、外観体裁も良好になるという効果がある。
【００２９】
また、本考案に係るリンクチェイン素子及びリンクチェインは、夫々全体の構成が非常に簡易であるために、その製作も安価に且つ容易に行うことができるという実用的効果がある。
【考案を実施するための最良の形態】
【００３０】
本考案に係るリンクチェイン素子を実施するための最良の形態を図面に基づいて具体的に説明する。
【００３１】
図１及び図２において、１は中央に連結孔２が形成されるべく平面略小判形の環状に構成した素子本体を示す。３は連結孔２の両側に他のリンチェイン素子を挿通可能な空間４を有して中央幅方向に設けた表示部で、該表示部３の表裏面の中央には凹状部５が形成されている。６は凹状部５の上下縁部に設けた膨出部である。尚、素子本体１と表示部３とは鋳造により一体成型されている。また、前記表示部３の肉厚Ｌは素子本体の肉厚Ｍよりも小なる寸法に形成している。
【００３２】
７は前記表示部３の凹状部５に貼着した視認性向上手段としてのシール材であり、光反射又は発光部材からなる。尚、かかる視認性向上手段としては、例えば光反射又は発光塗料を凹状部５に塗着する手段もある。このように表示部３に凹状部５を形成しておくと、視認性向上手段を所定の位置に確実且つ正確に設けることができるという製作上の利点がある。
【００３３】
本実施形態は以上のような構成からなるが、かかるリンクチェイン素子１０は次のようにして表示部３を有しない他のリンクチェン素子１１と連結して、リンクチェイン１２の一部に組み込まれて使用される。
【００３４】
即ち、図３に示すように、先ずリンクチェイン素子１０の空間４に連結すべき他のリンクチェイン素子１１の一端に設けた円弧状端部１３を挿通した状態で、該リンクチェイン素子１１を固定具１４で固定保持し、その他端部を図４のように側方から治具１５により内向き押圧すると、図５に示すように正面略Ｖの字状の間隙を有する円弧状端部１３が折曲形成されることになる。
【００３５】
尚、この場合において、他のリンクチェイン素子１１には必ずしもリンクチェイン素子１０を挿通しておく必要はなく、円弧状端部１３が折曲形成後に挿通しても構わない。かかる円弧状端部１３の間隙は正面略Ｖの字状に形成されているので、該間隙を介してリンクチェイン素子１０の挿通は極めて簡易に行える。
【００３６】
その後、図６のようにこの間隙を溶接することにより、図７の如く継目１６が円弧状端部１３に形成される共に、リンクチェイン素子１０と他のリンクチェイン素子１１とが連結されることになる。同様にして、例えば図８（ａ）に示すように複数のリンクチェイン素子１１間に所定間隔を有してリンクチェイン素子１０を配し、或いは同図（ｂ）のように単数のリンクチェイン素子１０を配してリンクチェイン１２を製作すればよい。この場合、複数個のリンクチェイン素子１０を連続して配することも可能である。
【００３７】
また、他のリンクチェイン素子１１の継目１６は円弧状端部１３に形成されているので、
かかる継目１６は連結されるリンクチェイン素子１０、１１により隠蔽されて外部からは見えにくく、よって良好な外観体裁を維持することができる。
【００３８】
このようにして製作されたリンクチェイン１２は、例えば図９に示すように地表１７に所定間隔を有して立設した柵柱１８間に掛け渡して使用されるが、該リンクチェイン１２には視認性向上手段を備えたリンクチェイン素子１０が組み込まれているために、夜間等においてもリンクチェイン１２の存在を人に適切に認識させることが可能となり、所定地域内への進入を良好に規制、阻止できる。
【００３９】
一方、例えば車や人の進入規制を解除する場合は、リンクチェイン１２を一方の柵柱１８内に収納するのであるが、リンクチェイン素子１０は他のリンクチェイン素子１１と同様の外観寸法に形成することができるために、リンクチェイン素子１０を柵柱１８の通孔１９を介して内部に収納できないという事態は回避できる。即ち、種々の柵柱１８に対して幅広く適用できるという融通性がある。
【００４０】
また、通孔１９からリンクチェインを出し入れする際には、各リンクチェイン素子１０、１１が折り重なるような状態になるが、リンクチェイン素子１０の素子本体１と表示部３とは鋳造により一体成型されているために、リンクチェイン素子１０それ自体が相当の強度を有しており、たとえ外力等の衝撃が表示部３に作用しても該表示部３が素子本体１から離脱するようなことは一切ない。
【００４１】
さらに、表示部３の肉厚Ｌは素子本体１の肉厚Ｍよりも小なる寸法に形成される共に、シール材は表示部に形成した凹状部５に設けてなるために、表示部３に設けたシール材に外部から異物等が接触するような事態も適切に回避することができ、よってシール材が表示部３から離脱するようなことがなくなる結果、長期に渡って良好な視認性を確保することができる。
【００４２】
また、本実施形態に係るリンクチェイン素子１０、１１及びこれらからなるリンクチェイン１２は全体の構成が非常に簡易であるために、その製作も安価に且つ容易に行うことができる。
【００４３】
尚、上記実施形態においては、表示部３の肉厚Ｌを素子本体１の肉厚Ｍよりも小なる寸法に形成したが、必ずしもこのように構成する必要はなく、その寸法は適宜変更が可能である。
【００４４】
また、該実施形態では表示部３に凹状部５を形成したが、かかる凹状部５は必要に応じて形成すればよく、省略しても構わない。
【００４５】
さらに、上記実施形態では他のリンクチェイン１１の円弧状端部１３に継目１６が形成されるように構成したが、継目１６は必ずしも円弧状端部１３に形成する必要はない。
【００４６】
その他、リンクチェイン１０、１１の各部の形状も本考案の意図する範囲内において任意に設計変更可能である。
【図面の簡単な説明】
【００４７】
【図１】本考案に係るリンクチェイン素子の一実施形態を示し、（ａ）は正面図、（ｂ）は平面図、（ｃ）は側面図である。
【図２】本考案に係るリンクチェイン素子の一実施形態を示し、（ａ）は図１（ａ）のＡ−Ａ線断面図、（ｂ）は図１（ｂ）のＢ−Ｂ線断面図、（ｃ）は図１（ｂ）のＣ−Ｃ線断面図である。
【図３】本考案に係るリンクチェインの製作手順の一実施形態を示す正面図である。
【図４】本考案に係るリンクチェインの製作手順の一実施形態を示す正面図である。
【図５】本考案に係るリンクチェインの製作手順の一実施形態を示す正面図である。
【図６】本考案に係るリンクチェインの製作手順の一実施形態を示す正面図である。
【図７】本考案に係るリンクチェインの製作手順の一実施形態を示す正面図である。
【図８】本考案に係るリンクチェインの一実施形態を示し、（ａ）は正面図、（ｂ）は他の実施形態に係る正面図である。
【図９】本考案に係るリンクチェインの一実施形態を示す正面図である。
【図１０】従来の柵柱チェイン（特許文献１）を示す断面図である。
【図１１】従来のリンクチェイン（特許文献２）を示す正面図である。
【符号の説明】
【００４８】
１    素子本体
２    連結孔
３    表示部
４    空間
５    凹状部
【図１】
0003143098.tif 000003
【図２】
0003143098.tif 000004
【図３】
0003143098.tif 000005
【図４】
0003143098.tif 000006
【図５】
0003143098.tif 000007
【図６】
0003143098.tif 000008
【図７】
0003143098.tif 000009
【図８】
0003143098.tif 000010
【図９】
0003143098.tif 000011
【図１０】
0003143098.tif 000012
【図１１】
0003143098.tif 000013